(57)【要約】【課題】係止部および係止受け部の係止状態を良好に保つ。【解決手段】コネクタハウジング１０の前面には装着位置にてフロントマスク６０を当て止めする突壁が溝部３１を挟んで左右に分断して設けられる。フロントマスク６０には装着位置にて溝部３１に嵌入される嵌入部６２が設けられる。溝部３１を臨む突壁の内面には係止部３５が設けられ、突壁の内面に対向する嵌入部６２の側面には係止受け部７７が設けられる。係止受け部７７と係止部３５とが突壁の撓み動作を伴いつつ弾性的に係止することでフロントマスク６０が装着位置に保持される。係止受け部７７に対する係止部３５の係止領域が突壁の前端に臨むように設けられる。【選択図】図１
2008108588.tif 000002
【特許請求の範囲】
【請求項１】
端子金具を収容可能なキャビティを有するコネクタハウジングと、前記コネクタハウジングの前面に沿って移動したあと装着位置に至るに伴い前記コネクタハウジングに保持される板状のフロントマスクとを備え、
前記コネクタハウジングの前面には、前記装着位置にて前記フロントマスクを当て止めする突壁が、溝部を挟んで左右に分断して設けられ、
前記フロントマスクには、前記突壁に当て止めされる部分の間に、前記装着位置にて前記溝部に嵌入される嵌入部が設けられ、
前記溝部を臨む前記突壁の内面には係止部が設けられ、前記突壁の内面に対向する前記嵌入部の側面には係止受け部が設けられ、前記係止受け部と前記係止部とが前記突壁の撓み動作を伴いつつ弾性的に係止することで、前記フロントマスクが前記装着位置に保持されるようになっており、
前記係止受け部に対する前記係止部の係止領域が、前記突壁の前端に臨むように設けられていることを特徴とするコネクタ。
【請求項２】
前記フロントマスクの後面と前記コネクタハウジングの前面とには、前記フロントマスクの抜け止め構造が設けられていることを特徴とする請求項１に記載のコネクタ。
【発明の詳細な説明】
【技術分野】
【０００１】
本発明は、コネクタに関する。
【背景技術】
【０００２】
特許文献１には、フロントマスク付きのコネクタが開示されている。これは、コネクタハウジングの前面にフロントマスクが装着され、このフロントマスクがキャビティ内に形成されたランスの成形等に伴う型抜き空間を覆うことで、ランスが保護状態におかれるとともにフロントマスクを貫通して相手の端子金具の挿通動作が円滑になされるというものである。
【０００３】
このフロントマスクはコネクタハウジングの前面に沿って移動可能とされ、装着位置に至るとコネクタハウジングに保持される。コネクタハウジングの前面には庇状の突壁が左右一対設けられており、この突壁の間には溝部が設けられている。フロントマスクは幅広の本体部とその上縁に設けられた幅狭の嵌入部とからなり、本体部の上端の、嵌入部を挟んだ肩部分が、突壁に当て止めされ、かつ、嵌入部が溝部に嵌入することで、フロントマスクが装着位置に装着される。本体部の左右両側縁には係止部が凹み形成され、コネクタハウジングの前面の左右両側縁には係止受け部が突出して形成されており、係止受け部が本体部の両側縁に備わる薄壁の撓み動作を伴いつつ係止部に係止されることで、コネクタハウジングが装着位置に保持される。
【特許文献１】特開２００６−２４４７０９公報
【発明の開示】
【発明が解決しようとする課題】
【０００４】
上記の場合、フロントマスクの本体部は、幅方向に並んだ全キャビティの開口を覆うべくコネクタハウジングの前面のうちの薄壁を除いた全幅に亘って形成されていた。そのため、薄壁は、強度的に脆弱となる嫌いがあり、その復元力の鈍化によって係止部と係止受け部との係止状態を良好に保てなくなるおそれがあった。  
これに対して、例えば、溝部を臨む突壁の内面に係止受け部を形成すれば、突壁は薄壁よりも厚み幅がある分、係止部の強度を高めることができ、ひいてはコネクタハウジングに対するフロントマスクの保持力も高めることができると考えられた。しかるにこの場合には、突壁の厚み幅が薄壁より数倍大きいことに起因して係止部の強度が高くなり過ぎる嫌いがあり、フロントマスクの装着動作を繰り返し行っているうちに係止受け部が突壁からの圧力によってだれることがあった。結果、上記同様、係止状態を良好に保てなくなるおそれがあった。
【０００５】
本発明は上記のような事情に基づいて完成されたものであって、フロントマスクをコネクタハウジングに保持するに際し、コネクタハウジング側の係止部とフロントマスク側の係止受け部との係止状態を良好に保つことを目的とする。
【課題を解決するための手段】
【０００６】
上記の目的を達成するための手段として、請求項１の発明は、端子金具を収容可能なキャビティを有するコネクタハウジングと、前記コネクタハウジングの前面に沿って移動したあと装着位置に至るに伴い前記コネクタハウジングに保持される板状のフロントマスクとを備え、前記コネクタハウジングの前面には、前記装着位置にて前記フロントマスクを当て止めする突壁が、溝部を挟んで左右に分断して設けられ、前記フロントマスクには、前記突壁に当て止めされる部分の間に、前記装着位置にて前記溝部に嵌入される嵌入部が設けられ、前記溝部を臨む前記突壁の内面には係止部が設けられ、前記突壁の内面に対向する前記嵌入部の側面には係止受け部が設けられ、前記係止受け部と前記係止部とが前記突壁の撓み動作を伴いつつ弾性的に係止することで、前記フロントマスクが前記装着位置に保持されるようになっており、前記係止受け部に対する前記係止部の係止領域が、前記突壁の前端に臨むように設けられている構成としたところに特徴を有する。
【０００７】
請求項２の発明は、請求項１に記載のものにおいて、前記フロントマスクの後面と前記コネクタハウジングの前面とには、前記フロントマスクの抜け止め構造が設けられているところに特徴を有する。
【発明の効果】
【０００８】
＜請求項１の発明＞
フロントマスクをコネクタハウジングの前面に沿って移動させて装着位置に至らすと、フロントマスクの嵌入部がコネクタハウジングの溝部に嵌入するとともに、嵌入部を挟んだ両脇部分がコネクタハウジングの突壁に当て止めされ、さらに、突壁の内面に設けられた係止部が、嵌入部の側面に設けられた係止受け部に弾性的に係止し、もってフロントマスクが装着位置に保持される。突壁は、フロントハウジングを当て止めするに足る厚み幅をもって形成されるから、係止部と係止受け部とが係止するに際して撓み変形しても、強度的にさほど脆弱化することはない。一方、係止受け部に対する係止部の係止領域が突壁の前端に臨むように設けられているから、かかる係止領域が突壁の内面の奥側に設けられている場合に比べ、突壁が撓み変形し易くなり、係止受け部に対して突壁側から加わる圧力が格別大きくなるようなことはない。したがって、係止部と係止受け部のうちの一方（突出している方）がだれてしまうのを防止できる。結果、突壁の撓み動作の円滑性が保障され、係止部と係止受け部との係止状態を良好に保つことができる。
【０００９】
＜請求項２の発明＞
係止部と係止受け部に加えてフロントマスクの抜け止め構造が設けられているから、コネクタハウジングに対するフロントマスクの保持力が高められる。また、かかる抜け止め構造は、フロントマスクの後面とコネクタハウジングの前面とに設けられているから、フロントマスクの前面に露出されることがなく、フロントマスクが不用意に係止解除されるのを回避できる。
【発明を実施するための最良の形態】
【００１０】
＜実施形態１＞
本発明の実施形態１を図１ないし図７によって説明する。本実施形態のコネクタは、相手のコネクタハウジング（図示せず）に嵌合可能とされるコネクタハウジング１０と、コネクタハウジング１０の前面に対して移動可能に装着されるフロントマスク６０とを備える。なお、以下の説明において前後方向については、相手のコネクタハウジング１０との嵌合面側を前方とする。
【００１１】
コネクタハウジング１０は合成樹脂製であって、図４および図５に示すように、全体としてブロック状をなし、幅方向に扁平なハウジング本体１１と、ハウジング本体１１の上面の幅方向略中央部に設けられたロックアーム１２とを備える。ハウジング本体１１の内部には、複数のキャビティ１３が横一列に並んで設けられている。各キャビティ１３には後方から雌側端子金具（図示せず）が挿入可能とされ、キャビティ１３の前面には相手の雄側端子金具のタブが挿抜可能に開口されている。キャビティ１３の内面にはランス１４が撓み変形可能に形成されている。ハウジング本体１１内には、ランス１４の撓み空間１５が確保され、かつこの撓み空間１５を含むランス１４の前方部分に、ランス１４の成形に伴う型抜き空間１６が前面に開口して形成されている。ランス１４は、キャビティ１３内への雌側端子金具の挿入途上で雌側端子金具と干渉して撓み空間１５側へ撓み変形され、雌側端子金具が正規挿入されるに伴い弾性復帰して雌側端子金具を抜け止め保持する。
【００１２】
ロックアーム１２は、ハウジング本体１１の前端から立ち上げられる根元部１７と、根元部１７から後方へ片持ち梁状に延出されるアーム部１８と、アーム部１８の長さ方向略中央部の上面に突成されるロック突部１９とからなり、さらに、アーム部１８の自由端側には操作部２１が一段高く設けられている。ロック突部１９は、ロックアーム１２の撓み動作を伴いつつ相手のコネクタハウジング側に弾性係止され、両コネクタハウジングを嵌合状態にロックするものである。また、操作部２１は、嵌合状態にある両コネクタハウジングを離脱する際に押圧操作され、ロックアーム１２をロック解除方向に撓ませるものである。
【００１３】
このロックアーム１２は比較的大型であって、その根元部１７はキャビティ１３の高さとほぼ同じ高さであり、操作部２１を含めるとコネクタの全高のほぼ半分の高さである。そして、ロックアーム１２の根元部１７はコネクタの全幅のほぼ半分もしくは半分を少し超える幅寸法を有する。ハウジング本体１１の上面には、アーム部１８を挟んだ両側に、左右一対の保護壁２２が立ち上げ形成されている。保護壁２２はその前端を根元部１７の後端面に一体接合させて操作部２１の近傍まで延出された形態となっている。また、ハウジング本体１１の上面の後端部には、ロックアーム１２の操作部２１の周りを取り囲むようにして門型のアーチ部２４が形成されている。アーチ部２４によって操作部２１にループ状の電線等の異物が引っ掛かるのを防止でき、操作部２１への不用意な解除操作を回避可能としてある。なお、ロックアーム１２の根元部１７の構造については後に詳述する。
【００１４】
ハウジング本体１１の前面には、フロントマスク６０の装着前、型抜き空間１６が開口されており、ここにランス１４が露出状態で配されている。そして、ハウジング本体１１の前面の両側縁部には、型抜き空間１６を両側から仕切るようにして、左右一対の案内壁２５が突設されている。両案内壁２５の間はフロントマスク６０の組付空間２６とされ、ここに下からフロントマスク６０が挿入可能とされる。組付空間２６に挿入されたフロントマスク６０は案内壁２５によって幅方向の遊動が規制され、かつ、上下方向（高さ方向）への移動が案内される。両案内壁２５の上端部には、組付空間２６側に少し突出するハウジング本体側突壁２７が設けられている。このハウジング本体側突壁２７は、後述するロックアーム側突壁３３（本発明における突壁）と同様、フロントマスク６０を当て止めするものであり、かつ、フロントマスク６０の第二肩部６４（後述する）に当接することによってフロントマスク６０の軸芯周りのガタ付きを規制するものである。また、ハウジング本体１１の前面には、幅方向両側のキャビティ１３の下縁に沿うようにして左右一対のハウジング本体側抜止部２８が庇状に突出して形成されている。そして、ハウジング本体１１の下縁の幅方向略中央部には、フロントマスク６０の下端と嵌合可能とされる嵌合凹部２９が切り欠き形成されている。嵌合凹部２９およびハウジング本体側抜止部２８は、フロントマスク６０の装着後はフロントマスク６０によって覆い隠される。
【００１５】
ロックアーム１２の根元部１７の前端面はハウジング本体１１の前端面より前方位置にあり、ロックアーム１２の根元部１７の前半部より下方は組付空間２６として開放されている。根元部１７の前半部の幅方向略中央部には溝部３１が上下方向（高さ方向）に貫通して形成され、溝部３１の底面はハウジング本体１１の前面にほぼ面一で連なっている。そして、溝部３１の底面には、ハウジング本体１１のキャビティ１３の上縁に沿うようにして、左右一対のロックアーム側抜止部３２が突出して形成されている。ロックアーム側抜止部３２は、ハウジング本体側抜止部２８と同様、フロントマスク６０の装着後はフロントマスク６０によって覆い隠されるようになっており、その突出量はハウジング本体側抜止部２８の突出量より小さく設定されている。
【００１６】
ロックアーム１２の根元部１７の前半部には、溝部３１を挟んだ両側に、左右一対のロックアーム側突壁３３が設けられている。ロックアーム側突壁３３にはフロントマスク６０の装着に伴ってフロントマスク６０の第一肩部６３（後述する）が下から当て止めされる。ロックアーム側突壁３３の下縁は、ハウジング本体側突壁２７の上縁とほぼ同じ高さ位置にあって略水平に配され、組付空間２６の上縁として構成される。ロックアーム側突壁３３の内面は、溝面であって溝部３１に臨んでおり、その前端に、左右一対の突片３４が互いに接近するよう内向きに突成されている。突片３４の根元部１７の内側後面は曲面状をなし、突片３４の根元側が先端側より肉厚となっている。
【００１７】
そして、突片３４の先端部（突出端部）には、ロックアーム側突壁３３の前端に臨む位置に、係止部３５が露出状態で凹設されている。係止部３５はフロントマスク６０の移動方向と直交する方向に向けて略椀状に開口され、フロントマスク６０側の係止受け部７７（後述する）と凹凸嵌合して係止可能とされる。突片３４の先端部の下端にはテーパ状に切り欠かれた案内縁部３６が形成されており、フロントマスク６０の装着過程ではこの案内縁部３６にフロントマスク６０の係止受け部７７が摺接可能とされる。なお、ロックアーム側突壁３３とハウジング本体側突壁２７には、組付空間２６および溝部３１を臨む内縁側を除く部分に、面取り部３８が施されている。
【００１８】
続いてフロントマスク６０について説明する。フロントマスク６０は合成樹脂製であって平板状をなし、ハウジング本体１１の組付空間２６に対して下から嵌挿され、コネクタハウジング１０の前面（ハウジング本体１１の前面と溝部３１の底面）に沿って上下方向(高さ方向）に移動可能とされる。詳しくはフロントマスク６０は、図６および図７に示すように、ハウジング本体１１に対面可能とされる幅広のマスク本体６１と、溝部３１に嵌入可能とされる幅狭の嵌入部６２とを備え、嵌入部６２がマスク本体６１の上縁の幅方向略中央部に突成されている。マスク本体６１の上縁のうち嵌入部６２を除いた両側縁部は、ロックアーム側突壁３３およびハウジング本体側突壁２７に下から当接可能とされる肩部６３，６４とされる。詳しくは肩部６３，６４は、嵌入部６２にあってロックアーム側突壁３３と当接する第一肩部６３と、幅方向両側縁部にあってかつ第一肩部６３より下位において両側縁に向けて下り勾配のテーパ状（撫で肩状）に切り欠かれた第二肩部６４とからなる。
【００１９】
マスク本体６１には、各キャビティ１３と連通可能とされる略方形のタブ挿通孔６５が横一列に開口して形成されている。マスク本体６１の前面には、タブ挿通孔６５の孔周りに、テーパ状をなすタブの誘い込み縁７５が全周に亘って形成されている。また、マスク本体６１には、各タブ挿通孔６５と幅方向で千鳥の位置に、治具挿通孔６６が横一列に開口して形成されている。フロントマスク６０が正規の装着位置より下位の非装着位置にあるときに、治具挿通孔６６に対して導通検査用のプローブピン（図示せず）が通されることで、キャビティ１３内に挿入された雌側端子金具の導通状態がチェックされる。
【００２０】
フロントマスク６０の後面には、ハウジング本体１１側の各キャビティ１３の両側の仕切壁３９に連なることが可能とされた縦リブ６７が、マスク本体６１と嵌入部６２とに跨るよう幅方向に並設されている。各縦リブ６７の間には雌側端子金具の前端部が嵌入可能とされ、これにより、雌側端子金具の前端部の幅方向の位置決めがなされる。また、マスク本体６１の後面の下縁および嵌入部６２の後面の上縁には、縦リブ６７の上下両端縁と連なる横リブ６８が上下一対となって設けられている。このうち、上側の横リブ６８はロックアーム側抜止部３２と弾性的に係止可能とされる嵌入部側抜止部６９とされ、この嵌入部側抜止部６９の下縁とロックアーム側抜止部３２の上縁が当たり合うことで、フロントマスク６０の下方への抜け止めがなされる。
【００２１】
そして、マスク本体６１の後面の下縁には、フロントマスク６０が装着位置に至るに伴ってハウジング本体１１側の嵌合凹部２９に嵌る嵌合突部７１が後方へ向けて突成されている。また、嵌合突部７１の上面の幅方向両側縁には、略Ｌの字をなす左右一対の規制壁７２，７３が立設されている。規制壁７２，７３は、前後方向（コネクタハウジング１０の嵌合・離脱方向）に沿った第一規制壁７２と、それと直交する幅方向に沿った第二規制壁７３とからなり、第一規制壁７２が嵌合凹部２９の対応する凹所に嵌入することでフロントマスク６０の幅方向への遊動が規制され、第二規制壁７３が嵌合凹部２９の対応する凹所に嵌入するこでフロントマスク６０の前後方向への遊動が規制される。
【００２２】
マスク本体６１の後面の両側部には、ハウジング本体側抜止部２８と弾性的に係止可能とされるマスク本体側抜止部７４が設けられている。マスク本体側抜止部７４は、左右一対ずつの爪部７５からなり、左右夫々の爪部７５が対向状に配置され、このうち、内側に配された爪部７５が縦リブ６７に一体接合されている。各爪部７５が対応するマスク本体側抜止部７４を幅方向両側から弾性的に引っ掛けることで、フロントマスク６０の下方への抜け止めがなされる。
【００２３】
嵌入部６２の前半部の幅方向両側には、ロックアーム１２側の突片３４の進入を許容する突片進入凹部７６が、上下方向（高さ方向）に切り欠き形成されている。そして、嵌入部６２の突片進入凹部７６の側面には、フロントマスク６０が装着位置に至るに伴ってロックアーム１２側の係止部３５に嵌る係止受け部７７が突出して形成されている。係止受け部７７は、断面略山型であって突片進入凹部７６の前後幅の全幅に亘って形成され、その上下両端縁が先端側（突出端側）へ行くにしたがって互いに接近するテーパ状をなしている。係止受け部７７の上側縁の基端は嵌入部６２の上端にそのまま連なっている。なお、係止受け部７７とマスク本体側抜止部７４とはフロントマスク６０の移動方向に重なることなく位置ずれしている。また、フロントマスク６０の外縁はテーパ縁７９として面取りされている。
【００２４】
次に、本実施形態の作用効果を説明する。まず、コネクタハウジング１０の組付空間２６に下からフロントマスク６０を装着する。装着過程では、マスク本体６１の幅方向両側縁がハウジング本体１１側の案内壁２５の内面に摺接することで、フロントマスク６０の装着動作が案内される。装着動作の終盤になると、嵌入部６２がロックアーム１２の溝部３１に下から進入するが、その進入開始時に、嵌入部６２の係止受け部７７がロックアーム１２側の突片３４の案内縁部３６とフロントマスク６０の移動方向で摺接し合い、これに伴って突片３４を含むロックアーム側突壁３３が弾性的に拡開される。この状態で、さらにフロントマスク６０を押し上げると、係止受け部７７が案内縁部３６を乗り越えるとともにロックアーム側突壁３３が弾性復帰し、これによって係止受け部７７と係止部３５とがロックアーム側突壁３３の前端に露出状態で嵌合係止される。こうしてフロントマスク６０が装着位置に至ると、図１および図２に示すように、マスク本体６１の第一肩部６３がロックアーム側突壁３３に下から当接するとともに、マスク本体６１の第二肩部６４がハウジング本体側突壁２７に下から当接し、もってフロンマスクの上方への移動が規制される。
【００２５】
またこの装着位置では、マスク本体側抜止部７４の各爪部７５が対応するハウジング本体側抜止部２８を引掛状態で弾性的に係止するとともに、嵌入部側抜止部６９がロックアーム側抜止部３２を同じく引掛状態で弾性的に係止し、かつ、マスク本体６１の嵌合突部７１がハウジング本体１１の嵌合凹部２９に下から嵌ることとなり、これによってフロントマスク６０が抜け止め状態で確実に保持される。なお、フロントマスク６０が装着位置にあるときに、嵌入部６２の上端面はロックアーム側突壁３３の上端面より下位に引っ込んで配され、かつ、フロントマスク６０の前面はロックアーム側突壁３３およびハウジング本体側突壁２７の両前面と前後方向についてほぼ同じ位置に連なる。
【００２６】
そして、キャビティ１３内に雌側端子金具を後方から挿入してランス１４によって弾性的に係止させた後、相手のコネクタハウジングを前方から嵌合させる。すると、相手のコネクタハウジングに装着された雄側端子金具のタブがフロントマスク６０のタブ挿通孔６５からキャビティ１３内に誘導可能に進入され、この雄側端子金具のタブがキャビティ１３内に挿入された雌側端子金具と電気的に接続される。このとき、両コネクタハウジング間の位置合わせに誤差があってタブが正規位置からずれて進入すると、タブは、フロントマスク６０の誘い込み縁によってその位置ずれが矯正され、あるいはフロントマスク６０の前面に突き当たる。したがって、タブが不正姿勢でキャビティ１３内に進入するのを防止できる。両コネクタハウジングが正規嵌合されると、ロックアーム１２が相手のコネクタハウジング側に弾性的に係止し、これによって両コネクタハウジングが嵌合状態（離脱規制状態）にロックされる。
【００２７】
ここで、装着位置に至ったフロントマスク６０がコネクタハウジング１０に保持されるに際し、フロントマスク６０側の係止受け部７７とコネクタハウジング１０側の係止部３５とがロックアーム側突壁３３の撓み動作を伴いつつ凹凸状に係止するため、繰り返しの使用によってロックアーム側突壁３３が脆弱化して係止強度を保てなくなる懸念がある。しかるに本実施形態によれば、ロックアーム側突壁３３が少なくともフロントハウジングを当て止めできるような剛性をもって形成されるため、強度的にさほど脆弱化するようなことはなく、繰り返しの使用にも十分耐え得る。もっとも、仮に、係止受け部７７と係止部３５とが係止し合う領域が、突壁の内面の奥側（溝部３１の溝面の後方）に設定されていると、ロックアーム側突壁３３の剛性が高い分、係止受け部７７がロックアーム側突壁３３からの圧力によってだれることが懸念される。しかし本実施形態では、係止部３５と係止受け部７７との係止領域がロックアーム側突壁３３の内面の前端に臨むように設けられているから、ロックアーム側突壁３３の撓み動作の容易性も損なわれることはなく、係止受け部７７がだれるのを防止できる。その結果、ロックアーム側突壁３３の撓み動作の円滑性が保障され、係止部３５と係止受け部７７との係止状態を良好に保つことができる。
【００２８】
また、ロックアーム側突壁３３には溝部３１内に向けて突出する突片３４が設けられ、この突片３４に係止部３５が設けられているから、突片３４自身の撓み動作が加味されることで、ロックアーム側突壁３３の撓み動作がよりいっそう円滑となる。  
さらに、フロントマスク６０の後面にはマスク本体側抜止部７４と嵌入部側抜止部６９とが設けられ、コネクタハウジング１０の前面にはハウジング本体側抜止部２８とロックアーム側抜止部３２とが設けられているから、これら複数の抜け止め構造によって係止部３５と係止受け部７７との係止構造とともに、コネクタハウジング１０に対するフロントマスク６０の保持力が高められる。しかも、これら抜け止め構造は、フロントマスク６０の後面とコネクタハウジング１０の前面とに設けられているから、フロントマスク６０の前面に露出されることがなく、フロントマスク６０が不用意に係止解除されるのを回避できる。
さらにまた、ロックアーム側突壁３３は、既存のロックアーム１２の根元部１７を切り欠いて形成されるから、別位置に専用構造として設けられるよりも、コネクタ全体の構造を簡素化できるとともに、コネクタ前後長を短く設定できる。
【００２９】
＜他の実施形態＞
本発明は上記記述及び図面によって説明した実施形態に限定されるものではなく、例えば次のような実施形態も本発明の技術的範囲に含まれる。  
（１）本発明によれば、突壁および溝部はコネクタハウジングのうちのロックアーム以外の部分（ハウジング本体等）に形成されても構わない。  
（２）本発明によれば、ロックアームはその前後両端がコネクタハウジング側に支持される両持ち梁状をなしていてもよい。  
（３）本発明は、係止部が突壁の内面に突出して形成され、係止受け部が嵌入部の側面に凹み形成されている場合にも適用可能である。  
（４）本発明は、フロントマスクが幅方向（横方向）に移動してコネクタハウジングの一側縁部に設けられた突壁に当て止めされる場合に適用可能である。  
【図面の簡単な説明】
【００３０】
【図１】実施形態１のコネクタの正面図
【図２】コネクタの要部破断した平面図
【図３】コネクタの要部破断した側面図
【図４】コネクタハウジングの平面図
【図５】コネクタハウジングの正面図
【図６】フロントマスクの正面図
【図７】フロントマスクの背面図
【符号の説明】
【００３１】
１０…コネクタハウジング
１１…ハウジング本体
１２…ロックアーム
２５…案内壁
２７…ハウジング本体側突壁
３１…溝部
３３…ロックアーム側突壁（突壁）
３５…係止部
３６…案内縁部
６０…フロントマスク
６２…嵌入部
６３…第一肩部
６４…第二肩部
６５…タブ挿通孔
７７…係止受け部
【図１】
2008108588.tif 000003
【図２】
2008108588.tif 000004
【図３】
2008108588.tif 000005
【図４】
2008108588.tif 000006
【図５】
2008108588.tif 000007
【図６】
2008108588.tif 000008
【図７】
2008108588.tif 000009